(57)【要約】【課題】ＥＳＳ−ＩＤの無線ＬＡＮ端末への容易な設定と、特定のＡＰに通信が集中することがないようなＥＳＳ−ＩＤの無線ＬＡＮ端末への均等自動割り振りを可能にする。【解決手段】無線ＬＡＮ端末３を特定の無線通信アクセスポイント１に接続する際、その接続に必要な無線チャンネルや暗号鍵などの接続情報を無線ＬＡＮ端末３に手動で設定する代わりに、無線通信アクセスポイント１に接続されたサーバ４から上記接続情報を自動的に受け取ることで、無線ＬＡＮ端末３と特定の無線通信アクセスポイント１との間で無線通信を確立する。【選択図】      図１
2005033265.tif 000002
【特許請求の範囲】
【請求項１】
ネットワークシステムにおける接続方法において、
無線通信機器が、第１の無線通信アクセスポイントを接続する場合に、任意の周波数を選択して第２の無線通信アクセスポイントに接続し、該第２の無線通信アクセスポイントを経由してサーバ装置から前記第１の無線通信アクセスポイントに接続するための接続情報を取得し、該取得した接続情報を用いて前記第１の無線通信アクセスポイントに接続することを特徴とする接続方法。
【請求項２】
前記接続情報は、周波数情報、無線通信アクセスポイントの識別情報、暗号情報のいずれかを含むことを特徴とする請求項１記載の接続方法。
【請求項３】
無線通信機器と無線通信を行うことが可能な複数の無線通信アクセスポイントと、該複数の無線通信アクセスポイントと接続されたサーバとから成るネットワークシステムにおいて、
前記サーバに設けられ、前記複数の無線通信アクセスポイントの各識別符号と、該複数の無線通信アクセスポイントがそれぞれ設置されている設置場所と、前記複数の無線通信アクセスポイントの各々と前記無線通信機器との間の無線接続にそれぞれ使用される接続情報との対応関係を示す第１のデータベースと、
前記サーバに設けられ、前記無線通信機器の各ユーザにそれぞれ固有のユーザ識別符号と、前記複数の無線通信アクセスポイントの各設置場所との対応関係を示す第２のデータベースと、
前記複数の無線通信アクセスポイントの各々に設けられ、前記サーバの前記第１のデータベースから、自装置に対応する接続情報を読み出して、自装置に設定する第１の設定手段と、
前記サーバの前記第１及び第２のデータベースから、前記無線通信機器のユーザのユーザ識別符号に対応する接続情報を読み出して、前記無線通信機器に設定する第２の設定手段と
を有することを特徴とするネットワークシステム。
【請求項４】
前記接続情報は、前記複数の無線通信アクセスポイントの各々と前記無線通信機器の各々との間の無線通信に使用される周波数であることを特徴とする請求項３に記載のネットワークシステム。
【請求項５】
前記接続情報は、前記複数の無線通信アクセスポイントの各々と前記無線通信機器の各々との間の無線通信に使用される暗号鍵であることを特徴とする請求項３に記載のネットワークシステム。
【請求項６】
前記ユーザ識別符号は、ユーザ識別文字列及びパスワードであることを特徴とする請求項３に記載のネットワークシステム。
【請求項７】
前記無線通信アクセスポイントの識別符号は、無線通信アクセスポイントに付与されているＩＰアドレスであることを特徴とする請求項３に記載のネットワークシステム。
【請求項８】
前記複数の無線通信アクセスポイントの各々に設けられ、ユーザ識別符号が格納された記憶装置を収納できる収納手段と、
前記複数の無線通信アクセスポイントの各々に設けられ、前記収納手段からユーザ識別符号を読み出し、前記サーバの前記第１及び第２のデータベースから、前記読み出したユーザ識別符号に対応する接続情報を読み出して、自装置に設定する第３の設定手段と
を更に有することを特徴とする請求項３に記載のネットワークシステム。
【請求項９】
同一の設置場所に複数の無線通信アクセスポイントが設置され、
前記同一の設置場所に設置された複数の無線通信アクセスポイントに無線接続されるべき複数の無線通信機器を、各無線通信アクセスポイントに均等に割り振る割振手段を更に有することを特徴とする請求項３に記載のネットワークシステム。
【請求項１０】
少なくとも１つの無線通信機器と、該無線通信機器と無線通信を行うことが可能な複数の無線通信アクセスポイントと、該複数の無線通信アクセスポイントと接続されたサーバとで実行される無線接続方法において、
前記サーバが、前記複数の無線通信アクセスポイントの各識別符号と、該複数の無線通信アクセスポイントがそれぞれ設置されている設置場所と、前記複数の無線通信アクセスポイントの各々と前記無線通信機器の各々との間の無線接続にそれぞれ使用される接続情報との対応関係を第１のデータベースに格納する第１の格納ステップと、
前記サーバが、前記無線通信機器の各ユーザにそれぞれ固有のユーザ識別符号と、前記複数の無線通信アクセスポイントの各設置場所との対応関係を第２のデータベースに格納する第２の格納ステップと、
前記複数の無線通信アクセスポイントの各々が、前記サーバの前記第１のデータベースから、自装置に対応する接続情報を読み出して、自装置に設定する第１の設定ステップと、
前記無線通信機器が、前記サーバの前記第１及び第２のデータベースから、自装置のユーザのユーザ識別符号に対応する接続情報を読み出して、自装置に設定する第２の設定ステップと
を有することを特徴とする無線接続方法。
【請求項１１】
少なくとも１つの無線通信機器と、該無線通信機器と無線通信を行うことが可能な複数の無線通信アクセスポイントと、該複数の無線通信アクセスポイントと接続されたサーバとで実行される無線接続方法を、コンピュータに実行させるためのプログラムにおいて、
前記無線接続方法が、
前記サーバが、前記複数の無線通信アクセスポイントの各識別符号と、該複数の無線通信アクセスポイントがそれぞれ設置されている設置場所と、前記複数の無線通信アクセスポイントの各々と前記無線通信機器の各々との間の無線接続にそれぞれ使用される接続情報との対応関係を第１のデータベースに格納する第１の格納ステップと、
前記サーバが、前記無線通信機器の各ユーザにそれぞれ固有のユーザ識別符号と、前記複数の無線通信アクセスポイントの各設置場所との対応関係を第２のデータベースに格納する第２の格納ステップと、
前記複数の無線通信アクセスポイントの各々が、前記サーバの前記第１のデータベースから、自装置に対応する接続情報を読み出して、自装置に設定する第１の設定ステップと、
前記無線通信機器が、前記サーバの前記第１及び第２のデータベースから、自装置のユーザのユーザ識別符号に対応する接続情報を読み出して、自装置に設定する第２の設定ステップと
を有することを特徴とするプログラム。
【請求項１２】
サーバ装置において、
無線通信機器と接続可能な複数の無線通信アクセスポイントの各識別符号と、該複数の無線通信アクセスポイントがそれぞれ設置されている設置場所と、前記複数の無線通信アクセスポイントの各々と前記無線通信機器の各々との間の接続にそれぞれ使用される接続情報との対応関係を示す第１のデータベースに基づいて、前記アクセスポイントに設定する接続情報を前記アクセスポイントに通知する第１の通知手段と、
前記第１のデータベースと、前記無線通信機器の各ユーザにそれぞれ固有のユーザ識別符号と前記複数の無線通信アクセスポイントの各設置場所との対応関係を示す第２のデータベースと、に基づいて、前記無線通信機器に設定する情報を前記無線通信機器に通知する第２の通知手段と、を有することを特徴とするサーバ装置。
【請求項１３】
サーバ装置の制御方法において、
無線通信機器と接続可能な複数の無線通信アクセスポイントの各識別符号と、該複数の無線通信アクセスポイントがそれぞれ設置されている設置場所と、前記複数の無線通信アクセスポイントの各々と前記無線通信機器の各々との間の接続にそれぞれ使用される接続情報との対応関係を示す第１のデータベースに基づいて、前記アクセスポイントに設定する接続情報を前記アクセスポイントに通知する第１の通知工程と、
前記第１のデータベースと、前記無線通信機器の各ユーザにそれぞれ固有のユーザ識別符号と前記複数の無線通信アクセスポイントの各設置場所との対応関係を示す第２のデータベースと、に基づいて、前記無線通信機器に設定する情報を前記無線通信機器に通知する第２の通知工程と、を有することを特徴とするサーバ装置の制御方法。
【請求項１４】
サーバ装置を制御するためのプログラムにおいて、
無線通信機器と接続可能な複数の無線通信アクセスポイントの各識別符号と、該複数の無線通信アクセスポイントがそれぞれ設置されている設置場所と、前記複数の無線通信アクセスポイントの各々と前記無線通信機器の各々との間の接続にそれぞれ使用される接続情報との対応関係を示す第１のデータベースに基づいて、前記アクセスポイントに設定する接続情報を前記アクセスポイントに通知する第１の通知工程と、
前記第１のデータベースと、前記無線通信機器の各ユーザにそれぞれ固有のユーザ識別符号と前記複数の無線通信アクセスポイントの各設置場所との対応関係を示す第２のデータベースと、に基づいて、前記無線通信機器に設定する情報を前記無線通信機器に通知する第２の通知工程と、を有することを特徴とするプログラム。
【請求項１５】
無線通信機器と接続可能な複数の無線通信アクセスポイントの制御方法において、
前記無線通信アクセスポイントの各識別符号と、該複数の無線通信アクセスポイントがそれぞれ設置されている設置場所と、前記複数の無線通信アクセスポイントの各々と前記無線通信機器の各々との間の接続にそれぞれ使用される接続情報との対応関係を示す第１のデータベースと、前記無線通信機器の各ユーザにそれぞれ固有のユーザ識別符号と前記複数の無線通信アクセスポイントの各設置場所との対応関係を示す第２のデータベースと、を有するサーバ装置から通知された接続情報を、自装置に設定することを特徴とする制御方法。
【請求項１６】
無線通信機器と接続可能な複数の無線通信アクセスポイントを制御するためのプログラムにおいて、
前記無線通信アクセスポイントの各識別符号と、該複数の無線通信アクセスポイントがそれぞれ設置されている設置場所と、前記複数の無線通信アクセスポイントの各々と前記無線通信機器の各々との間の接続にそれぞれ使用される接続情報との対応関係を示す第１のデータベースと、前記無線通信機器の各ユーザにそれぞれ固有のユーザ識別符号と前記複数の無線通信アクセスポイントの各設置場所との対応関係を示す第２のデータベースと、を有するサーバ装置から通知された接続情報を、自装置に設定することを特徴とするプログラム。
【請求項１７】
無線通信機器の制御方法において、
無線通信機器と接続可能な複数の無線通信アクセスポイントの各識別符号と、該複数の無線通信アクセスポイントがそれぞれ設置されている設置場所と、前記複数の無線通信アクセスポイントの各々と前記無線通信機器の各々との間の接続にそれぞれ使用される接続情報との対応関係を示す第１のデータベースと、前記無線通信機器の各ユーザにそれぞれ固有のユーザ識別符号と前記複数の無線通信アクセスポイントの各設置場所との対応関係を示す第２のデータベースと、を有するサーバ装置から通知された接続情報を、自装置に設定することを特徴とする制御方法。
【請求項１８】
無線通信機器を制御するためのプログラムにおいて、
無線通信機器と接続可能な複数の無線通信アクセスポイントの各識別符号と、該複数の無線通信アクセスポイントがそれぞれ設置されている設置場所と、前記複数の無線通信アクセスポイントの各々と前記無線通信機器の各々との間の接続にそれぞれ使用される接続情報との対応関係を示す第１のデータベースと、前記無線通信機器の各ユーザにそれぞれ固有のユーザ識別符号と前記複数の無線通信アクセスポイントの各設置場所との対応関係を示す第２のデータベースと、を有するサーバ装置から通知された接続情報を、自装置に設定することを特徴とするプログラム。
【発明の詳細な説明】
【０００１】
【発明の属する技術分野】
本発明は、ネットワークシステム、ネットワークシステムの接続方法、ネットワークシステムを構成する機器、それらを制御するための制御方法、及びプログラムに関する。
【０００２】
【従来の技術】
従来、ＩＥＥＥ８０２．１１の標準規格に基づく無線ＬＡＮを用いた無線通信システムは、少なくとも、無線基地局としてのアクセスポイント（以下「ＡＰ」という）と複数の無線ＬＡＮ端末とで構成され、インフラストラクチャモードによって無線通信が行われる（例えば、特許文献１参照）。インフラストラクチャモードは、無線ＬＡＮ端末どうしが直接通信を行うのではなく、ＡＰが無線ＬＡＮ端末どうしの通信の仲立ちを行う方式である。
【０００３】
無線通信システムが複数のＡＰを含むとき、無線ＬＡＮ端末が特定のＡＰに接続して無線通信を行うためには、その無線ＬＡＮ端末の初期設定において、例えば、その特定のＡＰに設定されている、ＡＰを区別するための識別記号（ＥＳＳ−ＩＤ）を設定することが必要である。
【０００４】
例えば、会議が開催される特定のエリア（例えば会議室）に設置されたＡＰと、その会議の複数の出席者がそれぞれ持参する各無線ＬＡＮ端末とが同一のＥＳＳ−ＩＤを用いて互いに接続し、これによって１つの閉じたネットワークを形成して、会議を行う上で必要となるデータのやりとりを無線ＬＡＮ経由で行うことができる。この閉じたネットワークとは、会議参加者以外の無線ＬＡＮ端末からアクセスできないようなネットワーク（ＰＡＮ；  Ｐｅｒｓｏｎａｌ  Ａｒｅａ  Ｎｅｔｗｏｒｋ）を指す。
【０００５】
【特許文献１】
特開平１０−１７８４２９号公報
【０００６】
【発明が解決しようとする課題】
しかしながら、上記従来の無線通信システムのように、ＥＳＳ−ＩＤでＡＰを特定して会議システムを構築する場合、その会議に参加する者は、会議が行われる毎にその会議で使用するＡＰに付与されているＥＳＳ−ＩＤを、自分が持参する無線ＬＡＮ端末に設定しなければならず、会議システムを構成する上で非常に面倒であった。
【０００７】
また、その会議システムにおいて、１つの会議で複数のＡＰが使用され、それらのＡＰに接続される無線ＬＡＮ端末の台数を均等に割り振る場合、各々のＡＰに予め別のＥＳＳ−ＩＤを付与しておき、各ＡＰに付与されたＥＳＳ−ＩＤを会議参加者の各無線ＬＡＮ端末に均等に割り振って、特定のＡＰに通信が集中することを防がねばならないが、従来、ＥＳＳ−ＩＤを自動的に均等に割り振ることができなかった。
【０００８】
本発明はこのような問題点に鑑みてなされたものであって、複数の無線通信アクセスポイントがある場合でも、容易に目的の無線通信アクセスポイントの接続できるようにすることを目的とする。
【０００９】
【課題を解決するための手段】
本発明は、上記目的を達成するために、ネットワークシステムにおける接続方法において、無線通信機器が、第１の無線通信アクセスポイントを接続する場合に、任意の周波数を選択して第２の無線通信アクセスポイントに接続し、該第２の無線通信アクセスポイントを経由してサーバ装置から前記第１の無線通信アクセスポイントに接続するための接続情報を取得し、該取得した接続情報を用いて前記第１の無線通信アクセスポイントに接続することを特徴とする接続方法を提供する。
【００１０】
また、無線通信機器と無線通信を行うことが可能な複数の無線通信アクセスポイントと、該複数の無線通信アクセスポイントと接続されたサーバとから成るネットワークシステムにおいて、前記サーバに設けられ、前記複数の無線通信アクセスポイントの各識別符号と、該複数の無線通信アクセスポイントがそれぞれ設置されている設置場所と、前記複数の無線通信アクセスポイントの各々と前記無線通信機器との間の無線接続にそれぞれ使用される接続情報との対応関係を示す第１のデータベースと、前記サーバに設けられ、前記無線通信機器の各ユーザにそれぞれ固有のユーザ識別符号と、前記複数の無線通信アクセスポイントの各設置場所との対応関係を示す第２のデータベースと、前記複数の無線通信アクセスポイントの各々に設けられ、前記サーバの前記第１のデータベースから、自装置に対応する接続情報を読み出して、自装置に設定する第１の設定手段と、前記サーバの前記第１及び第２のデータベースから、前記無線通信機器のユーザのユーザ識別符号に対応する接続情報を読み出して、前記無線通信機器に設定する第２の設定手段とを有することを特徴とするネットワークシステム並びにその制御方法およびプログラムを提供する。
【００１１】
また、サーバ装置において、無線通信機器と接続可能な複数の無線通信アクセスポイントの各識別符号と、該複数の無線通信アクセスポイントがそれぞれ設置されている設置場所と、前記複数の無線通信アクセスポイントの各々と前記無線通信機器の各々との間の接続にそれぞれ使用される接続情報との対応関係を示す第１のデータベースに基づいて、前記アクセスポイントに設定する接続情報を前記アクセスポイントに通知する第１の通知手段と、前記第１のデータベースと、前記無線通信機器の各ユーザにそれぞれ固有のユーザ識別符号と前記複数の無線通信アクセスポイントの各設置場所との対応関係を示す第２のデータベースと、に基づいて、前記無線通信機器に設定する情報を前記無線通信機器に通知する第２の通知手段と、を有することを特徴とするサーバ装置並びにその制御方法およびプログラムを提供する。
【００１２】
また、無線通信機器と接続可能な複数の無線通信アクセスポイントの制御方法において、前記無線通信アクセスポイントの各識別符号と、該複数の無線通信アクセスポイントがそれぞれ設置されている設置場所と、前記複数の無線通信アクセスポイントの各々と前記無線通信機器の各々との間の接続にそれぞれ使用される接続情報との対応関係を示す第１のデータベースと、前記無線通信機器の各ユーザにそれぞれ固有のユーザ識別符号と前記複数の無線通信アクセスポイントの各設置場所との対応関係を示す第２のデータベースと、を有するサーバ装置から通知された接続情報を、自装置に設定することを特徴とする制御方法及びプログラムを提供する。
【００１３】
また、無線通信機器の制御方法において、無線通信機器と接続可能な複数の無線通信アクセスポイントの各識別符号と、該複数の無線通信アクセスポイントがそれぞれ設置されている設置場所と、前記複数の無線通信アクセスポイントの各々と前記無線通信機器の各々との間の接続にそれぞれ使用される接続情報との対応関係を示す第１のデータベースと、前記無線通信機器の各ユーザにそれぞれ固有のユーザ識別符号と前記複数の無線通信アクセスポイントの各設置場所との対応関係を示す第２のデータベースと、を有するサーバ装置から通知された接続情報を、自装置に設定することを特徴とする制御方法及びプログラムを提供する。
【００１４】
【発明の実施の形態】
以下、本発明の実施の形態を、図面を参照して説明する。
【００１５】
〔第１の実施の形態〕
図１は、本発明に係るネットワークシステム（会議システム）の第１の実施の形態の構成を示すブロック図である。このネットワークシステムは、会議室に適用された場合を想定している。
【００１６】
図中１、２は、無線ＬＡＮのアクセスポイント（以下「ＡＰ」という）、３は、ＡＰ１、２と無線通信を行う無線ＬＡＮ端末、４は、認証機能及びデータベース機能を有するサーバ、５は、ＡＰ１、２とサーバ４とを接続する基幹ＬＡＮである。本図において、ＡＰ１、２はそれぞれ、隣り合った別の会議室に備え付けられており、基幹ＬＡＮ５と常時接続されている。
【００１７】
本実施の形態における会議システムでは、会議に参加する者がそれぞれに無線ＬＡＮ端末を持参して、会議室に設置されている無線ＬＡＮ用のＡＰとの間でＰＡＮ（Ｐｅｒｓｏｎａｌ  Ａｒｅａ  Ｎｅｔｗｏｒｋ）を形成する。これにより、会議を行う上で必要となるデータのやりとりを無線ＬＡＮ経由で行うことができる。この会議システムで用いる無線ＬＡＮ通信では、ＩＥＥＥ８０２．１１ｂで規定された無線ＬＡＮの接続方法を使用することを前提とする。
【００１８】
無線ＬＡＮ接続には、アドホックモードと呼ばれる、無線ＬＡＮ端末同士が直接通信を行う接続方法と、インフラストラクチャモードと呼ばれる、ＡＰが無線ＬＡＮ端末の仲立ちを行う接続方法とがある。本実施の形態では、ＡＰを用いた通信方法によって会議システムを構築するので、インフラストラクチャモードを使用する。
【００１９】
インフラストラクチャモードでは、初期設定として、ＡＰと無線ＬＡＮ端末の双方でいくつかの項目を設定しなければならない。ＡＰでは、無線通信で使用する周波数帯域、ＳＳＩＤ（Ｓｅｒｖｉｃｅ  Ｓｅｔ  Ｉｄｅｎｔｉｆｙ）またはＥＳＳＩＤ（Ｅｘｔｅｎｄｅｄ  Ｓｅｒｖｉｃｅ  Ｓｅｔ  Ｉｄｅｎｔｉｆｙ）と呼ばれる、ＡＰに接続される無線ＬＡＮ端末をグループ化するための識別符号、ＷＥＰ（Ｗｉｒｅｄ  Ｅｑｕｉｖａｌｅｎｔ  Ｐｒｉｖａｃｙ）と呼ばれる暗号化キーを設定する必要がある。なお、無線ＬＡＮでは、チャンネルを選択することにより、そのチャンネルに則した周波数帯域が選択される。チャンネル数は、１チャンネルから１４チャンネルまであり、国や地域により使用できるチャンネル数（周波数帯域）が変わる。
【００２０】
また、ＡＰに接続される無線ＬＡＮ端末でも、ＡＰ同様、ＳＳＩＤまたはＥＳＳＩＤと呼ばれる識別符号、ＷＥＰと呼ばれる暗号化キーを設定する必要がある。
【００２１】
なお、ＡＰと無線ＬＡＮ端末とを接続するためには双方において、ＳＳＩＤまたはＥＳＳＩＤと呼ばれる識別符号を同じ値に設定する必要があるが、双方で識別符号を空欄（無設定）にすることも可能である。また、ＡＰと無線ＬＡＮ端末との間でセキュリティを確保する必要がない場合や、上位層でセキュリティを設定している場合には、ＷＥＰと呼ばれる暗号化キーも同様に、ＡＰと無線ＬＡＮ端末の双方で暗号化キーを空欄（無設定）にすることも可能である。但し、無線ＬＡＮ端末にてＳＳＩＤ（ＥＳＳＩＤ）を設定しない場合、その無線ＬＡＮ端末が初めて、ＳＳＩＤ（ＥＳＳＩＤ）が設定されていないＡＰにアクセスすると、または、ＳＳＩＤ（ＥＳＳＩＤ）を設定しない無線ＬＡＮ端末を受け入れる設定をしてあるＡＰにアクセスすると、その初めてアクセスしたＡＰと接続を確立することになってしまう。そのため、特定のＡＰに接続したい場合には、識別符号や暗号化キーを空欄（無設定）にすることはせず、ＡＰと無線ＬＡＮ端末との双方で同じ値の識別符号や暗号化キーを設定しなければならない。
【００２２】
本実施形態では、このＳＳＩＤ（ＥＳＳＩＤ）及びＷＥＰを無線ＬＡＮ端末側で設定しなくても所望のＡＰに接続することができるようにするもので、無線ＬＡＮ端末側では、ＳＳＩＤ（ＥＳＳＩＤ）及びＷＥＰの設定欄は空白（設定しない）とし、同様にＡＰ側もＳＳＩＤ（ＥＳＳＩＤ）及びＷＥＰが無設定の無線ＬＡＮ端末が接続できるように、ＳＳＩＤ（ＥＳＳＩＤ）及びＷＥＰの設定欄を空白とする。
【００２３】
図２は、会議主催者が所持する端末と認証機能及びデータベース機能を有するサーバ（図１のサーバ４に相当）との間で行われる会議室予約及び会議出席者登録についての通信処理を示すシーケンス図である。なお、上記の会議主催者が所持する端末とは、図１に示す無線ＬＡＮ端末３に相当するものであるか、またはサーバ４と基幹ＬＡＮ５を介して有線（または無線）接続された図示しないパソコン（Ｐｅｒｓｏｎａｌ  Ｃｏｍｐｕｔｅｒ）などである。なおここでは、会議室の数やＡＰの数は図１とは対応しない。
【００２４】
図３、４、５、６、７は、会議主催者が無線ＬＡＮ端末またはパソコンなどからサーバに対して会議室を予約するときに使用され各予約画面を示し、これらの予約画面は、この無線ＬＡＮ端末またはパソコンなどの表示装置に表示される。
【００２５】
図８、９、１０は、会議主催者が無線ＬＡＮ端末３またはパソコンなどからサーバ４に対して、その会議に出席する者を登録するため使用される各登録画面を示し、これらの登録画面も、この無線ＬＡＮ端末３またはパソコンなどの表示装置に表示される。なおここでも、会議室の数やＡＰの数は図１とは対応しない。
【００２６】
以下、適宜図３〜図１０を参照しながら、図２に示すシーケンスに沿って通信処理を説明する。なおここでは、会議室の数は図１とは対応しない。
【００２７】
図２において、ステップＳ２０１では、端末が、サーバのＩＰアドレスを指定してサーバに接続要求を送信する。ステップＳ２０２では、サーバが、ステップＳ２０１の接続要求に対して、その要求を受け入れる旨の接続応答を、接続要求を送信した端末に対して返信する。
【００２８】
会議主催者は、予めサーバ内のデータベースに登録されている自分のアカウント名とパスワードとを、入力装置を用いて自分の端末に入力しておく。なお、このデータベースに関しては図８を参照して後述する。
【００２９】
ステップＳ２０３では、端末が、その入力したアカウント名とパスワードとをサーバに送信する。ステップＳ２０４では、サーバが、送信された端末の所有者のアカウント名、パスワードがサーバ内のデータベースに登録されているものと一致するか否かを判別し、一致すれば、端末に対して接続許可応答を返信し、これによって、端末とサーバとの間でセッション（通信手段）が確立する。
【００３０】
ステップＳ２０５では、端末がサーバに対して、会議室の予約要求を送信する。ステップＳ２０６では、サーバが、ステップＳ２０５による予約要求を受け付けたことを端末に知らせる。ステップＳ２０７では、サーバが端末に対して、会議室予約画面データを送信する。
【００３１】
図３は、ステップＳ２０７で送信され、端末の表示装置に表された会議室予約画面を例示する図である。本会議室予約画面は、使用予定日付、予約会議室名、予約時間帯、会議名の各項目から成る。
【００３２】
ステップＳ２０８では、会議主催者は端末の入力装置から、会議室予約画面の日付欄に使用予定日付を入力し、端末はその情報をサーバに送信する。図４は、ステップＳ２０８により日付欄に使用予定日付が入力された会議室予約画面を例示する図である。
【００３３】
ステップＳ２０９では、サーバが、ステップＳ２０８で端末から送信された使用予定日付に該当する日における会議室予約状況を示す予約状況画面を端末に送信する。
【００３４】
図５は、ステップＳ２０９でサーバから端末に送信された予約状況画面を例示する図である。本予約状況画面で、各会議室における帯状のグラフは、すでに予約が入っている時間帯を示す。
【００３５】
ステップＳ２１０では、会議主催者は予約状況画面の対応する欄に、端末の入力装置から、予約したい会議室名、会議を始める時刻、終える時刻、会議名を入力する。この入力された情報が端末からサーバへ送信される。図６は、予約したい会議室名、会議を始める時刻、終える時刻、会議名が入力された予約状況画面を例示する図である。
【００３６】
ステップＳ２１１では、サーバが、ステップＳ２１０において送信された予約したい会議室名、会議を始める時刻、終える時刻、会議名の情報を、サーバ内のデータベースの会議室予約状況情報と比較して、その会議室が入力された日付、時間帯に空いていることを確認する。そして、空いていれば端末に対して会議室予約依頼応答を送信する。
【００３７】
図７は、ステップＳ２１１でサーバから端末に送信される会議室予約依頼応答によって端末の表示装置に表示される画面を例示する図である。図７では、会議主催者が希望した会議室の希望時間帯に帯び状グラフが描写され、その会議室のその時間帯が予約できたことが示される。
【００３８】
ステップＳ２１２では、サーバが端末に対して、ユーザデータベース情報を送信する。
【００３９】
図８は、ステップＳ２１２で、サーバから端末に送信されるユーザデータベース情報を例示する図である。
【００４０】
サーバのデータベースには、会議室を使用し得る全ユーザの情報が登録されており、その中から会議主催者が希望するグループ（部署）を指定することによって、そのグループ（部署）に属する各ユーザのデータベース情報だけが抽出され、上記ユーザデータベース情報としてサーバから端末に送信される。
【００４１】
図８から分かるようにユーザ情報として、ユーザの所属名、ユーザ名、サーバに対して各端末が認証を行うときに使用する各ユーザのアカウント名、パスワードが予め登録されている。また、各ユーザの時間帯の欄には、各ユーザが各会議室をそれぞれ使用する予定が示され、また、その会議において使用する無線ＬＡＮのチャンネルと暗号鍵（データの暗号化に使用）とが記載されている。ここで、ユーザ各自のパスワード、暗号鍵はそれぞれ図上では、同じ記号で示したが、実際はそれぞれが異なる符号である。但し、本実施の形態では、同じ会議で使用する各会議出席者の暗号鍵は同じものとする。
【００４２】
サーバから上記のユーザデータベース情報を受信した端末の会議主催者は、その中から会議に出席させたいユーザを選択する。具体的には、図８に示す画面の一番左のチェック欄に、端末の入力装置を用いてチェックを入れることで、会議に出席させたいユーザを選択する。ステップＳ２１３では、こうして選択された会議に出席させたいユーザを示す選択情報を端末からサーバへ送信する。図９は、会議に出席させたいユーザがチェック欄で選択されたユーザデータベース情報を例示する図である。
【００４３】
ステップＳ２１４では、サーバが、ステップＳ２１３で端末から送信された会議出席ユーザ情報（図９に例示）と、ステップＳ２１１でサーバが端末に送信した会議室予約依頼応答（図７に例示）とに基づき、会議に出席すべきユーザのデータベース情報に、会議を行う時間帯、会議室名、会議名、無線ＬＡＮで使用する暗号鍵、チャンネルを設定する。なお、会議で用いる無線ＬＡＮのチャンネルは、図１１を参照して後述するように、周辺の他のＡＰが使用する周波数帯（チャンネル）と干渉がないように会議室（場所）毎に予め決められており、会議室を選択した時点で自動的に決定される。また無線ＬＡＮで使用する暗号鍵は、同じ時間帯で行われる他の会議の暗号鍵と重複しないようにサーバによって調整され、設定される。このように設定が行われたデータベース情報が、サーバから端末へ会議出席者応答として送信される。
【００４４】
図１０は、このように会議時間帯、会議室名、会議名、暗号鍵、チャンネルが設定されたデータベース情報を例示する図である。
【００４５】
図１０に示すデータベース情報では、チェック欄にチェックが入力されたユーザごとに、新たに追加された会議予定に関する時間帯グラフ、会議室名、会議名、チャンネル、暗号鍵が設定されている。
【００４６】
なお、会議出席者（ユーザ）が持参する端末が無線ＬＡＮ端末であるときに設定する暗号鍵は、本実施の形態では全ての会議出席者において同じ値としたが、それぞれが異なっていてもよい。
【００４７】
また、ステップＳ２１２で端末がサーバから受信した情報（図８に例示）において、会議に出席させたいユーザの予定が、その会議を行おうと予定している時間帯において既に別の会議によって埋まっている場合がある。その場合、そのユーザに対して、会議を重複して設定することができるものとする。重複した会議のうち、どちらに出席するかの選択は、会議出席者が行う。これについては、図１４〜１６を参照して後述する。
【００４８】
ステップＳ２１５では、会議主催者は、会議の設定を済ませたので、端末からサーバに対して切断（ログオフ）要求を送信する。これを受信したサーバは、ステップＳ２１６で切断要求に応答し、これにより、端末とサーバとの間のセッションが解除され、図２に示す通信シーケンスは終了する。
【００４９】
図１１は、サーバにデータベースとして登録されている会議室ごとのＡＰ情報を例示する図である。
【００５０】
サーバには会議室ごとのＡＰ情報がデータベースとして登録されており、このＡＰ情報には、会議室ごとに、ＡＰの名前、ＡＰに割り振られたＩＰアドレス、会議室で使用する無線ＬＡＮのチャンネル、会議室で使用可能なＡＰの最大数が含まれる。
【００５１】
図１１に示す例では、会議室Ａ、Ｂ、Ｃの３室に、それぞれＡＰが最大２台設置でき、各ＡＰに対応したＡＰ名、ＩＰアドレス、チャンネルが割り振られている。
【００５２】
図１２は、会議主催者がサーバに対して会議予約を行った後、サーバと、予約された会議室に設置されているＡＰとの間で行われる会議室予約情報の通知処理を示す通信シーケンス図である。
【００５３】
ここでは、図７に示す午前９時から午前１２時までの会議室１の予約情報をサーバから会議室１に設置されているアクセスポイントＡＰ１に送信する場合を例にとって説明する。この通信シーケンスは、ＡＰ１の主電源がオンした直後に開始される。
【００５４】
全てのＡＰが不揮発性メモリをそれぞれ備え、該不揮発性メモリにサーバのＩＰアドレスが予め格納されており、ステップＳ１２０１では、ＡＰ１が、不揮発性メモリに格納されているサーバのＩＰアドレスを読み出して指定することによって、このサーバに接続する。そしてＡＰ１はこのサーバに、自分の電源が入り、動作可能状態になったことを、Ｒｅａｄｙ信号にて知らせる。ＡＰ１からＲｅａｄｙ信号を受信したサーバは、ステップＳ１２０２で、Ｒｅａｄｙ信号を受け取ったことを知らせるための応答信号であるＡｃｋ（Ａｃｋｎｏｗｌｅｄｇｅ）信号をＡＰ１に対して送信する。
【００５５】
ステップＳ１２０３では、サーバが、Ｒｅａｄｙ信号を送信したＡＰ１のＩＰアドレスに対応する会議室名及び使用チャンネルを、図１１に例示するようなＡＰ情報から抽出する。また、図１０に例示するようなデータベース情報を参照して、該抽出された会議室名に対応する暗号鍵を抽出する。サーバは、それらの抽出された使用チャンネル及び暗号鍵をＡＰ１に対して送信する。
【００５６】
なお、ステップＳ１２０３においてサーバからＡＰ１に送信される情報は、ＡＰ１の設置されている会議室１で開催予定の全部の会議のうち、ＡＰ１からＲｅａｄｙ信号を受信した時刻以降に開催予定の会議に関する使用チャンネル及び暗号鍵である。例えば、サーバがＲｅａｄｙ信号を受け取った日時が２００２年４月１９日の午前８時５０分であった場合も、また同日の午前９時１０分であった場合も、図７に例示する午前９時から午前１２時までの会議に関する使用チャンネル及び暗号鍵、午後０時から午後２時までの会議に関する使用チャンネル及び暗号鍵、及び午後２時から午後５時までの会議に関する使用チャンネル及び暗号鍵がＡＰ１に送信される。
【００５７】
ステップＳ１２０４では、ＡＰ１が、ステップＳ１２０３でサーバから送信された情報を正しく受け取った場合、サーバに対してＡｃｋ信号を送信する。
【００５８】
図１３は、図１に示すネットワークシステム（会議システム）における無線ＬＡＮ端末３と、会議室１に配置されたＡＰ１と、会議室２に配置されたＡＰ２と、基幹ＬＡＮ５に接続されているサーバ４との間で行われる接続処理を示すシーケンス図である。なおここでは、会議室１と会議室２とは隣接していて、会議室２に配置されたＡＰ２からの電波が会議室１において受信できるものとする。
【００５９】
なお、会議出席者が、持参した無線ＬＡＮ端末３の電源を入れ、無線ＬＡＮ端末３に格納されている会議用アプリケーションソフトを起動することにより、本接続処理は開始される。無線ＬＡＮ端末３は、ＡＰ１，ＡＰ２が発信する電波を受信するには、通常、無線ＬＡＮで使用される１４の全チャンネルのうちから１つずつ選択し、そのチャンネル周波数に合わせ、電波を受信できるチャンネルを探す。
【００６０】
その結果、あるチャンネルで、例えばＡＰ２の発信する電波を受信したと仮定する。そのとき無線ＬＡＮ端末３は、受信した電波の情報から送信ＡＰがＡＰ２であることを検出して、ステップＳ１３０１で、ＡＰ２に対して仮接続要求を送信する。ステップＳ１３０２では、ＡＰ２が、無線ＬＡＮ端末３からの仮接続要求に応えて仮接続応答を返す。これにより、無線ＬＡＮ端末３とＡＰ２との間で仮セッションが確立される。なお、無線ＬＡＮ端末３とＡＰ２の双方でＳＳＩＤが無設定とされる。したがって、この仮接続要求には、ＳＳＩＤを用いた認証も含まれるが、ＳＳＩＤを認証するステップはない。
【００６１】
ステップＳ１３０３では、無線ＬＡＮ端末３が、サーバ４によって認証してもらうための認証要求をＡＰ２に対して送信する。ステップＳ１３０４では、ＡＰ２が、無線ＬＡＮ端末３からの認証要求を受信したことを示す認証応答を無線ＬＡＮ端末３へ返す。
【００６２】
ＡＰ２からの認証応答を受信した無線ＬＡＮ端末３では、その所有者である会議出席者が、無線ＬＡＮ端末３の入力装置から、自身の識別ＩＤであるアカウント名とパスワードとを入力する。ステップＳ１３０５では、無線ＬＡＮ端末３が、この入力されたアカウント名とパスワードとをＡＰ２に送信する。ステップＳ１３０６では、ＡＰ２が、無線ＬＡＮ端末３から受信した無線ＬＡＮ端末３のアカウント名（識別ＩＤ）及びパスワードをサーバ４に送信する。
【００６３】
これを受信したサーバ４では、サーバ４内のデータベース（図１０に例示）を参照して、受信したアカウント名（識別ＩＤ）及びパスワードに対応する会議予約を検索し、会議予約が存在すれば、その会議で使用する暗号鍵及び無線ＬＡＮのチャンネル（ＡＰ情報）を抽出する。図１に示すネットワークシステム（会議システム）の例では、会議室１での会議に使用される暗号鍵及びチャンネル１（ＡＰ１の使用チャンネル）が抽出される。
【００６４】
ステップＳ１３０７では、サーバ４が、この抽出された暗号鍵及び無線ＬＡＮのチャンネルをＡＰ２に送信する。ステップＳ１３０８では、ＡＰ２が、サーバ４から送信された暗号鍵及び無線ＬＡＮのチャンネルを無線ＬＡＮ端末３に対して送信する。
【００６５】
ステップＳ１３０９では、無線ＬＡＮ端末３が、ＡＰ２から受け取ったチャンネル（ＡＰ１の使用チャンネル）に合わせ、ＡＰ１に仮接続要求を送信する。ステップＳ１３１０では、ＡＰ１が、無線ＬＡＮ端末３からの仮接続要求に対し、仮接続応答を返信する。これにより、無線ＬＡＮ端末３とＡＰ１との間に仮セッションが確立される。
【００６６】
ステップＳ１３１１では、無線ＬＡＮ端末３がＡＰ１に対して本接続要求を送信する。ステップＳ１３１２では、本接続要求を受信したＡＰ１が、本接続応答を無線ＬＡＮ端末３に返信する。
【００６７】
ステップＳ１３１３では、ＡＰ１が、平文である所定の文面を無線ＬＡＮ端末３に対して送信する。無線ＬＡＮ端末３は、この所定の文面を受信すると、ステップＳ１３０８でＡＰ２から受け取った暗号鍵を使用して暗号文に変換し、ステップＳ１３１４で、その暗号文をＡＰ１に対して送信する。
【００６８】
暗号文を受信したＡＰ１は、その暗号文を、図１２で示す通信シーケンス（Ｓ１２０３）でサーバ４から受け取った暗号鍵を用いて平文に戻し、その平文とステップＳ１３１３で無線ＬＡＮ端末３に送信した所定の文面とを比較する。その結果、それらが一致していれば、ステップＳ１３１５で、ＡＰ１は本接続許可信号を無線ＬＡＮ端末３に送信し、本セッションを確立する。
【００６９】
なお、上記の仮セッションとは、無線ＬＡＮ端末とＡＰとの間でのみ通信が確立されたことを意味し、この場合、無線ＬＡＮ端末から送信されるデータは、ＡＰより先の基幹ＬＡＮ側には送信できない。また、基幹ＬＡＮ側から見た場合、仮セッション状態では、無線ＬＡＮ端末の存在がわからず、したがって無線ＬＡＮ端末に対してデータを送信することはできない。また、上記の本セッションとは、仮セッションではできなかった無線ＬＡＮ端末と、ＡＰより先の基幹ＬＡＮ側との送受信ができる状態を言う。
【００７０】
なおまた、図１３に示した通信シーケンスの例では、無線ＬＡＮ端末３が最初にＡＰ２と接続したが、最初に接続されるＡＰはＡＰ１であっても、他のＡＰであっても、上記で説明したＡＰ２の動作を、ＡＰ２の代わりに選択されたＡＰが行うだけで、通信シーケンスでの処理は同じである。つまり、上記の例では、無線ＬＡＮ端末３が最初にＡＰ２経由でサーバ４からＡＰ１に接続するための情報を取得するが、これに代わって、無線ＬＡＮ端末３が最初からＡＰ１経由でサーバ４からＡＰ１に接続するための情報を取得する場合もあり得、その場合、無線ＬＡＮ端末３は、ＡＰ１のみと仮セッション接続、本セッション接続を行う。
【００７１】
また、図１３に示す通信シーケンスは、無線ＬＡＮ端末３の動作を中心に記述しており、サーバ４が無線ＬＡＮ端末３のユーザのアカウント名、パスワードを受け取ってから暗号鍵、チャンネルを返すまでの、サーバ４内で行われる処理シーケンスをここでは示していないが、この処理は、図２４，２５を参照して後述する処理において行われるので、ここでは説明を省略する。
【００７２】
図１４〜１６は、無線ＬＡＮ端末で行われるＡＰとの接続処理の手順を示すフローチャートである。本接続処理は、会議出席者が無線ＬＡＮ端末の電源をＯＮにし、会議用アプリケーションソフトを起動した直後に開始される。
【００７３】
まず、会議用アプリケーションの初期設定として、１つのカウンタを無線ＬＡＮ端末のＲＡＭに設定し、そのカウンタ値を１４に設定する。
【００７４】
ステップＳ１４０１では、無線ＬＡＮ端末が、チャンネル１からチャンネル１４までの無線ＬＡＮで用いる周波数チャンネルの中から上記カウンタのカウンタ値に相当するチャンネルを選択し、そのチャンネルの周波数帯域にて電波の受信を試み、ＡＰからの電波を探索する。ステップＳ１４０２では、その周波数帯域でＡＰからの電波が見つかったか否かを判別し、見つかればステップＳ１４０３に進み、見つからなければステップＳ１４２２に進む。ステップＳ１４２２では、カウンタのカウンタ値を１だけ減らし、ステップＳ１４２３で、減算した後のカウンタ値が０であるか否かを判別する。その結果、０ならばステップＳ１４２４に進む。一方、０でなければステップＳ１４０１に戻り、ステップＳ１４２２で設定されたカウンタ値に基づきチャネルを選択する。ステップＳ１４２４では、チャンネル１からチャンネル１４までの周波数チャンネルのいずれにおいても、ＡＰからの電波を受信できなかったので、無線ＬＡＮ端末の表示装置の画面に「無線ＬＡＮのアクセスポイントを発見することができませんでしたので、会議用アクセスポイントに接続できません。アクセスポイントの電波を受信できる範囲外の可能性があります。」という表示を行い、本接続処理を終了する。
【００７５】
ステップＳ１４０２で、ＡＰからの電波が見つかったと判別された場合、ステップＳ１４０３に進み、電波を出力していたＡＰ（図１３に示す例ではＡＰ２、以下ＡＰ２として説明）に対して仮接続要求を出す。ステップＳ１４０４では、仮接続要求が受け入れられたか否かを判別し、受け入れられたならばステップＳ１４０５に進み、受け入れられなければステップＳ１４２２に進む。
【００７６】
ステップＳ１４０５では、無線ＬＡＮ端末はＡＰ２に対して、サーバによる認証を受けるべく認証要求を出す。ステップＳ１４０６では、ＡＰ２から認証要求を受け付ける旨の応答が来るまで待ち、来ればステップＳ１４０７に進む。
【００７７】
ステップＳ１４０７では、無線ＬＡＮ端末が、無線ＬＡＮ端末の所有者によって入力されたアカウント名（識別ＩＤ）及びパスワードをＡＰ２に送信する。ステップＳ１４０８では、ＡＰ２に送信したアカウント名及びパスワードがサーバにおいて認証されたか否かを判別する。サーバに登録されているアカウント名及びパスワードと同じであって、認証されたならばステップＳ１４０９に進む。一方、認証されなければステップＳ１４０７に戻り、無線ＬＡＮ端末の所持者が再度アカウント名及びパスワードを入力後、無線ＬＡＮ端末がそれらをＡＰ２へ送信する。
【００７８】
ステップＳ１４０９では、無線ＬＡＮ端末がサーバにアクセスした時刻に開催されている会議、またはその時刻以降に開催される会議に関する会議予約情報がサーバに登録されているか否かを判別し、登録されていればステップＳ１４１０に進み、登録されていなければステップＳ１４２５に進む。ステップＳ１４２５では、無線ＬＡＮ端末の所有者が出席する予定の会議はないので、無線ＬＡＮ端末の表示画面に、「会議登録がなされていません。」という表示をして本接続処理を終了する。
【００７９】
ステップＳ１４１０では、無線ＬＡＮ端末が、サーバに登録されていた無線ＬＡＮ端末の所有者が出席すべき会議の会議予約情報（暗号鍵、使用チャネル他）を受信する。ステップＳ１４１１では、受信した会議予約情報を基に、無線ＬＡＮ端末がサーバにアクセスした時刻に一番近い時刻に開催される会議が複数重複していないか否かを判別する。重複している場合ステップＳ１４２６に進み、重複していない場合ステップＳ１４１２に進む。
【００８０】
ステップＳ１４２６では、複数重複している会議情報を無線ＬＡＮ端末の表示装置の画面に表示して、無線ＬＡＮ端末の所持者に出席する会議を選択させる。ステップＳ１４２７では、会議の選択がされるまで待ち、選択されればステップＳ１４１２に進む。
【００８１】
ステップＳ１４１２では、受信した会議情報に含まれる使用チャネルに基づき、無線ＬＡＮ端末は、その会議で使用する無線ＬＡＮの周波数チャンネルを設定する。
【００８２】
ステップＳ１４１３では、無線ＬＡＮ端末が、ステップＳ１４１２で設定した周波数チャンネルの周波数帯域にて電波の受信を試み、ＡＰからの電波を探索する。ステップＳ１４１４では、その探索の結果、ＡＰからの電波が見つかったか否かを判別し、見つかればステップＳ１４１５に進み、見つからなければステップＳ１４２８に進む。ステップＳ１４２８では、無線ＬＡＮ端末の表示装置の画面に例えば、「会議用のアクセスポイントが見つかりません。アクセスポイントが正常に動作していないか、アクセスポイントからの電波を受信可能なエリアに入ってない可能性があります。あなたが出席する会議は、２００２年４月１９日午前９時から午前１２時までに行われる定例会で、会議室１で行われます。もう一度場所を確認願います。」と表示して本接続処理を終了する。
【００８３】
ステップＳ１４１４で、ＡＰからの電波が見つかったと判別された場合、ステップＳ１４１５に進み、電波を出力していたＡＰ（図１３に示す例ではＡＰ１、以下ＡＰ１として説明）に対して仮接続要求を出す。ステップＳ１４１５では、仮接続要求が受け入れられたか否かを判別し、受け入れられたならばステップＳ１４１７に進み、受け入れられなければステップＳ１４２８に進む。なお、ＡＰ１が見つかったにもかかわらず仮接続要求が受け入れられない場合とは、ＡＰ１が他のアクセスによりビジー状態となっていて応答できず、そのため無線ＬＡＮ端末側でタイムアウトしてしまう場合や、そのＡＰ１に仮接続要求に対する返信機能がなく、そのため無線ＬＡＮ端末側でタイムアウトしてしまう場合が考えられる。
【００８４】
ステップＳ１４１７では、無線ＬＡＮ端末が、ＡＰ１に対して本接続要求を出す。ステップＳ１４１８で、本接続要求がＡＰ１によって受け入れられるのを待ち、ステップＳ１４１９に進む。
【００８５】
ステップＳ１４１９では、無線ＬＡＮ端末がＡＰ１から送られてくる所定の文章からなる平文を受信する。ステップＳ１４２０では、無線ＬＡＮ端末が、サーバから受信した会議予約情報に含まれる暗号鍵を使用して、受信した平文を暗号化し、その暗号文をＡＰ１に送信する。ＡＰ１では、受信した暗号文を同じ暗号鍵を用いて平文に戻し、ＡＰ１が前に無線ＬＡＮ端末に送信した平文と比較する。ステップＳ１４２１では、その比較の結果、双方の平文が同じであったか否かが判別され、同じであった場合、無線ＬＡＮ端末とＡＰ１との間で本セッションが確立され、本接続処理を終了する。比較の結果、同じでなければステップＳ１４２０へ戻って、再度暗号文の送信を行う。双方の平文が同じとならない場合とは、通信データの欠損等でデータが予期せぬ値に変わる場合などが考えられる。
【００８６】
以上のようにして、第１の実施の形態では、会議室１に入室した会議出席者が、自分の識別ＩＤであるアカウントＩＤとパスワードとを自分が持参した無線ＬＡＮ端末に入力するだけで、無線ＬＡＮ端末に使用チャネルや暗号鍵を設定しなくても、会議室１に設けられたＡＰ１にサーバから使用チャネルや暗号鍵が送られ、無線ＬＡＮ端末はＡＰ１との間で無線通信が確立できる。
【００８７】
〔第２の実施の形態〕
次に第２の実施の形態を説明する。
【００８８】
第１の実施の形態では、ＡＰが会議室に備え付けられており（固定されており）、その結果、図１１に示すＡＰ情報のように、会議室名とＡＰに割り振られているＩＰアドレスとが一対一に対応付けされているため、サーバは、アクセスしてきたＡＰのＩＰアドレスを基にして該ＡＰが設置されている会議室を特定できる。したがって、図１２に示す会議室予約情報の通知処理のステップＳ１２０３において、サーバが、Ｒｅａｄｙ信号を送信してきたＡＰ１のＩＰアドレスに対応する会議室名及び使用チャンネルを、図１１に例示するようなＡＰ情報から抽出して、ＡＰ１に送信することができる。
【００８９】
しかし、ＡＰが全会議室にそれぞれ設置されず、ＡＰを会議で使用するたびに会議主催者がＡＰを会議室に運び入れて使用する場合も考えられる。その場合、ＡＰと会議室との一対一の対応はなく、サーバでは、アクセスしてきたＡＰのＩＰアドレスを見ても、そのＡＰに対してどの会議情報を送信してよいかの判断ができない。第２の実施の形態では、こうした不具合を解消するようにしている。
【００９０】
図１７は、第２の実施の形態におけるアクセスポイント（ＡＰ）の構成を示すブロック図である。
【００９１】
図中１５０１は、無線ＬＡＮのアンテナ部、１５０２は、アンテナ部１５０１に接続され無線電波を送受信するＲＦ（Ｒａｄｉｏ  Ｆｒｅｑｕｅｎｃｙ）部、１５０３は、受信した電波を復調したり、送信する電波を変調したりする復変調部、１５０４は、送受信信号を形成するＢＢ（Ｂａｓｅ  Ｂａｎｄ）部、１５０５は、無線ＬＡＮ用のＭＡＣ（Ｍｅｄｉｕｍ  Ａｃｃｅｓｓ  Ｃｏｎｔｒｏｌｌｅｒ）部、１５０６は内部バス、１５０７は、制御プログラムに従ってＡＰを制御するＣＰＵ（Ｃｅｎｔｒａｌ  Ｐｒｏｃｅｓｓｉｎｇ  Ｕｎｉｔ）、１５０８は、その制御プログラムを格納するＲＯＭ（Ｒｅａｄ  Ｏｎｌｙ  Ｍｅｍｏｒｙ）、１５０９は、ＣＰＵ１５０７のワークエリアとして使用したり、サーバから受信した会議情報を格納するＲＡＭ（Ｒａｎｄｏｍ  Ａｃｃｅｓｓ  Ｍｅｍｏｒｙ）、１５１０は、イーサネット（登録商標）用のＭＡＣ部、１５１１は、イーサネット用のＰＨＹ（Ｐｈｙｓｉｃａｌ）コントローラ部、１５１２は、イーサネットインターフェースコネクタ、１５１３はＰＣカードコントローラ部、１５１４は、ＰＣカード用コネクタである。
【００９２】
図１８は、図１７のＰＣカード用コネクタ１５１４に挿入されるＰＣカードの中にある不揮発性メモリ上に格納されている、会議主催者の個人情報の一例を示す図である。
【００９３】
図に示すように、会議主催者の所属部署名、ユーザ名、アカウント名、パスワードが不揮発性メモリ上に記録されている。
【００９４】
図１９は、図１７に示す構成のＡＰで使用する暗号鍵や使用無線チャンネル等の会議情報をＡＰがサーバから受信するための通信処理におけるシーケンス図である。
【００９５】
図１２に示す第１の実施の形態における会議室に備え付けのＡＰの場合と同様に、持ち運び可能なＡＰを特定の会議室で使用する際、図１９に示すような通信処理によって、ＡＰで使用する暗号鍵や使用無線チャンネル等の会議情報がサーバからＡＰに送信される。
【００９６】
ここでは、図１７に示す構成のＡＰ１を会議室１に持っていき、会議室１で開催される会議に使用するものとする。ＡＰ１のＰＣカードコネクタ１５１４に、会議主催者情報が格納されたＰＣカードを挿入し、イーサネットインターフェースコネクタ１５１２に基幹ＬＡＮからの有線ケーブルを接続し、ＡＰ１の電源を投入する。これによって、図１９に示す通信処理が開始される。
【００９７】
ステップＳ１７０１では、ＡＰ１が、サーバのＩＰアドレスを指定してＲｅａｄｙ信号を送信し、ＡＰ１の電源がオンとなって動作可能状態になったことをサーバに対して知らせる。ステップＳ１７０２では、サーバがＡＰ１に対して、Ｒｅａｄｙ信号を受け取った旨を示す応答信号であるＡｃｋ信号を送信する。
【００９８】
ステップＳ１７０３では、ＡＰ１が、ＰＣカードコネクタ１５１４に挿入されたＰＣカード内に記録されている会議主催者情報（図１８に例示）を読み取り、サーバに送信する。
【００９９】
ステップＳ１７０４では、会議主催者情報を受信したサーバが、その会議主催者のアカウント名及びパスワードを、図１０に例示する第１の実施の形態におけるデータベース情報と同一のデータベース情報と比較する。そして、それらが一致するユーザに設定されている会議情報のうち、会議が一番早く行われる会議情報（ＡＰの使用チャンネル、会議で使用する暗号鍵など）をＡＰ１に対して送信する。なお、その比較した時点を会議開催時間帯に含む会議が存在する場合はその会議情報を送信する。
【０１００】
ステップＳ１７０５では、ＡＰ１がサーバから会議情報を正しく受け取った場合、ＡＰ１はサーバにＡｃｋ信号を送信する。ＡＰ１は、受け取った会議情報に含まれる使用チャンネルに従って無線チャンネルを設定する。
【０１０１】
このように、ＡＰを会議室に持ち運んで使用する場合は、ＡＰに挿入されたＰＣカード内の会議主催者情報と、図１０に例示する第１の実施の形態におけるデータベース情報と同一のデータベース情報とを基にして、サーバが、ＡＰの使用チャンネルと会議で使用する暗号鍵とを決定できる。したがって、会議主催者がＡＰを会議室に運び入れて使用する場合でも、サーバはＡＰに対してその会議室用の会議情報を送信することができる。
【０１０２】
なお、図１９に示す第２の実施の形態における通信シーケンスを除いた会議システムの動作は、会議室に備え付けのＡＰを使用した第１の実施の形態における会議システムと同様となるので、ここでは説明を割愛する。
【０１０３】
〔第３の実施の形態〕
次に第３の実施の形態を説明する。
【０１０４】
会議室にＡＰが１つだけ存在する場合、第１の実施の形態では、サーバが、図１０に例示するように、その会議室で使用する無線チャンネルと暗号鍵とを各会議出席者のデータベースに割り振ったが、図１１に示す会議室Ａ、Ｂ、Ｃのように、１つの会議室に複数のＡＰが設置されている場合、サーバは、無線チャンネルと暗号鍵とを単純に割り振ることができない。
【０１０５】
第３の実施の形態では、同一会議室に備えられた複数のＡＰに対して会議参加者の無線ＬＡＮ端末に自動的に且つ均等に割り振るようにする。すなわち、会議出席者が会議室に来て、無線ＬＡＮ端末の会議用アプリケーションを起動した直後に、複数のＡＰにそれぞれ接続される無線ＬＡＮ端末の数が均等になるように、無線チャンネルと暗号鍵とを決定する。
【０１０６】
会議主催者がサーバに対して、例えば予約日時を２００２年４月１９日、使用したい会議室を、２台のＡＰが配置された会議室Ａ、会議の始まる時間を午前９時、終わりの時間を午前１２時、会議名を定例会として入力した、図２０に例示するような予約状況画面のデータを送信したとする。
【０１０７】
図２１は、図２０に例示された予約状況画面のデータを受信したサーバが、会議主催者の端末に返信した会議室予約依頼応答の画面を例示する図である。
【０１０８】
図２１では、会議室Ａの午前９時から午前１２時までの時間帯に帯状のグラフが記入され、予約されたことを表示している。
【０１０９】
図２２は、図１０に例示した第１の実施の形態におけるデータベース情報に相当する第３の実施の形態におけるデータベース情報を例示する図である。
【０１１０】
図２２では、午前９時から午前１２時までの時間帯に会議室Ａでの定例会が予約される。ただし、会議で使用する暗号鍵と無線ＬＡＮチャンネルとが未定となっていて空欄である。
【０１１１】
図２３は、第３の実施の形態における会議システムの構成を示すブロック図である。
【０１１２】
図中２１０１、２１０２、２１０３、２１０４は、無線ＬＡＮのアクセスポイントＡＰ（１０）〜ＡＰ（１３）であり、ＡＰ（１０）２１０１，ＡＰ（１１）２１０２は会議室Ａに配置され、ＡＰ（１２）２１０３，ＡＰ（１３）２１０４は会議室Ｂに配置される。会議室Ａと会議室Ｂとは隣り合っていて、ＡＰ（１２）２１０３，ＡＰ（１３）２１０４から発信された電波は会議室Ａで受信できるものとする。
【０１１３】
２１０５は、ＡＰ（１０）２１０１〜ＡＰ（１３）２１０４と無線通信を行うことのできる無線ＬＡＮ端末、２１０６は、認証機能及びデータベース機能を有するサーバである。２１０７は、ＡＰ（１０）２１０１〜ＡＰ（１３）２１０４とサーバ２１０６とを接続する基幹ＬＡＮである。
【０１１４】
以下の説明では、会議が始まる時間に、会議出席者が無線ＬＡＮ端末２１０５を持って会議室Ａに入った場合を想定し、さらに、無線ＬＡＮ端末２１０５が最初に、ＡＰ（１２）２１０３に接続し、サーバ２１０６と認証後に、ＡＰ（１０）２１０１に接続する場合を例に挙げ、図１３に示す第１の実施の形態における接続処理シーケンスを流用して説明する。
【０１１５】
図１３において、ステップＳ１３０１からステップＳ１３０５までの処理は、第１の実施の形態におけるＡＰ２がＡＰ（１２）２１０３に変わっただけで、まったく同じである。
【０１１６】
その後、ステップＳ１３０６で、ＡＰ（１２）２１０３がサーバ２１０６に対して、無線ＬＡＮ端末２１０５のユーザのアカウント名及びパスワードを送信する。このとき、会議室ＡにはＡＰが２つあるので、サーバ２１０６は、認証に来た無線ＬＡＮ端末２１０５をどちらか一方のＡＰに接続させる必要がある。このときのサーバ２１０６の動作を、図２４及び図２５を参照して説明する。
【０１１７】
図２４及び図２５は、第３の実施の形態におけるサーバ２１０６において実行される認証及び会議情報送信処理の手順を示すフローチャートである。
【０１１８】
ステップＳ２２０１では、サーバ２１０６が、受け取った無線ＬＡＮ端末２１０５のアカウント名（識別ＩＤ）及びパスワードが、図８に例示する第１の実施の形態におけるユーザデータベース情報と同一の第３の実施の形態におけるユーザデータベース情報に登録されているか否かを探索する。次にステップＳ２２０２で、この探索の結果に応じて、登録されていればステップＳ２２０３に進み、登録されていなければステップＳ２２１０に進む。ステップＳ２２１０では、サーバ２１０６は、ＡＰ（１２）２１０３経由で無線ＬＡＮ端末２１０５に対して、「データベースに登録されていないか、入力が間違っています。」というメッセージを送信して本処理を終了する。
【０１１９】
ステップＳ２２０３では、サーバ２１０６が、図１０に例示する第１の実施の形態におけるデータベース情報と同一の第３の実施の形態におけるデータベース情報に、無線ＬＡＮ端末２１０５のユーザに対する会議設定がなされているか否かを確認し、設定されていればステップＳ２２０４に進み、設定されていなければステップＳ２２１１に進む。ステップＳ２２１１では、サーバ２１０６は、ＡＰ（１２）２１０３経由で無線ＬＡＮ端末２１０５に対して、「会議登録がなされていません。」というメッセージを送信して本処理を終了する。
【０１２０】
ステップＳ２２０４では、サーバ２１０６が、第３の実施の形態における上記データベース情報に、無線ＬＡＮ端末２１０５のユーザに対して会議開始時間が同じ複数の会議設定が重複してなされているか否かを判別し、重複していればステップＳ２２１２に進み、重複していなければステップＳ２２０５に進む。
【０１２１】
ステップＳ２２１２では、サーバ２１０６が、第３の実施の形態における上記データベース情報に登録された同じ会議開始時間の全ての会議の会議名、会議室名、開始時間、終了時間等を無線ＬＡＮ端末２１０５に送信する。ステップＳ２２１３では、これを受信した無線ＬＡＮ端末２１０５のユーザが、自分が参加する会議を１つ選択するのを待ってステップＳ２２０５へ進む。
【０１２２】
ステップＳ２２０５では、サーバ２１０６が、図１１に例示する第１の実施の形態におけるＡＰ情報と同一の第３の実施の形態におけるＡＰ情報を参照して、会議が行われる会議室にＡＰが２つ以上配置されているか否かを確認し、ＡＰが２つ以上配置されている場合はステップＳ２２０６に進み、ＡＰが１つしか配置されていなければステップＳ２２１５に進む。
【０１２３】
なお、第２の実施の形態で説明したようなＡＰを会議室に持ち運んで使用する場合、会議主催者によりそのＡＰが稼動されたときに、ＡＰからサーバに対して会議主催者情報を送信するが、第３の実施の形態では、その際にサーバが、どの会議室にどのＡＰが設置されたかが判るデータベース（図１１に例示する第１の実施の形態におけるＡＰ情報と同じ）をサーバ内に作り、どこの会議室にＡＰが何台あるかを判別するようにする。
【０１２４】
ステップＳ２２１５では、サーバ２１０６が、会議情報（会議で使用するチャネル、暗号鍵など）をＡＰ（１２）２１０３経由で無線ＬＡＮ端末２１０５に送信し、本処理を終了する。
【０１２５】
ＡＰが２台以上配置された会議室で会議を行う場合、図２２に示したように、会議を予約した時点では、その会議出席者の無線ＬＡＮ端末に設定すべき使用チャンネルや暗号鍵は決められない。第３の実施の形態では、サーバ２１０６内に、ＡＰ名が入力される１つのレジスタを設ける。そのレジスタには、サーバ２１０６に対してその会議出席者の無線ＬＡＮ端末のいずれからもアクセスがない時点では、なにも書かれていないものとする。
【０１２６】
ステップＳ２２０６では、サーバ２１０６が上記のレジスタの内容を確認する。ステップＳ２２０７では、その確認の結果、レジスタに何らかの設定（書き込み）があればステップＳ２２１６へ進み、なければステップＳ２２０８へ進む。ここでサーバ２１０６が、会議室Ａで行われる会議に出席するユーザによって初めてアクセスされて本処理が実行された場合、レジスタには何の設定（書き込み）もなく、ステップＳ２２０８に進む。もし、今回サーバ２１０６にアクセスしてきた無線ＬＡＮ端末２１０５よりも前に、サーバ２１０６に無線ＬＡＮ端末がアクセスしていた場合、ステップＳ２２１６に進む。
【０１２７】
ステップＳ２２０８では、会議室に配置された複数のＡＰのうち、ＡＰに付されている番号が一番小さいＡＰの名前をレジスタに記入する。本実施の形態では、会議室Ａに設置してあるＡＰ１０、ＡＰ１１のうち、ＡＰ１０をレジスタに設定する。
【０１２８】
ステップＳ２２１６では、レジスタに書き込まれているＡＰ名とは異なるＡＰ名をレジスタに書き込み、ステップＳ２２０９に進む。本実施の形態では、会議室ＡにＡＰ１０、ＡＰ１１の２つが設置されているので、レジスタに例えばＡＰ１０が記載されていれば、それをＡＰ１１に書き換える。もし会議室に３つ以上のＡＰが設置されている場合は、例えば、ＡＰに付されている番号の小さい方から順に、そのＡＰ名をレジスタに記入していき、一番大きい数になったら再度一番小さい数のＡＰ名を記入するようにする。
【０１２９】
ステップＳ２２０９では、レジスタに設定されてあるＡＰ名を読み取り、図１１に例示する第１の実施の形態におけるＡＰ情報と同一の第３の実施の形態におけるＡＰ情報を参照して、その読み取ったＡＰ名に対応する無線ＬＡＮチャンネルを読み出す。また、図１２に示す第１の実施の形態におけるステップＳ１２０３と同一の第３の実施の形態におけるステップによってＡＰに送った暗号鍵を、先に読み出した無線ＬＡＮチャンネルと一緒に無線ＬＡＮ端末２１０５に送信する。
【０１３０】
以上のように、第３の実施の形態では、サーバがレジスタ内のＡＰ名を、各無線ＬＡＮ端末がサーバにアクセスしてくる度に順に変更し、このレジスタ内のＡＰ名に対応するチャンネルを無線ＬＡＮ端末に通知するため、サーバにアクセスに来た無線ＬＡＮ端末は、アクセスに来た順に次々と異なるＡＰに接続され、結果的に各ＡＰに均等に無線ＬＡＮ端末が配分されることになる。
【０１３１】
上記各実施の形態では、特定のＡＰに特定の無線ＬＡＮ端末を接続する会議システムを説明したが、本発明は、会議システムに限らず、無線ＬＡＮを使用した他のＰＡＮに適用してもよい。この場合、会議室のような部屋の区切りが無くてもよく、空港やホテルのロビーなどの開かれたスペースにおける無線ＬＡＮシステムでもよい。また、こうした場合、会議システムのように、それぞれのグループ（部署）に会議主催者がいる必要はなく、システム全体を管理するアドミニストレータのような管理人が代わりに設定を行うこともできる。
【０１３２】
［他の実施の形態］
なお、本発明の目的は、前述の各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【０１３３】
この場合、記憶媒体から読み出されたプログラムコード自体が前述した各実施の形態の機能を実現することになり、そのプログラムコードを記憶した記憶媒体は本発明を構成することになる。
【０１３４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【０１３５】
また、コンピュータが読み出したプログラムコードを実行することにより、上記の各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０１３６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【０１３７】
【発明の効果】
以上詳述したように本発明によれば、無線ＬＡＮ端末を特定の無線通信アクセスポイントに接続する際、その接続に必要な無線チャンネルや暗号鍵などの接続情報を無線ＬＡＮ端末に手動で設定する代わりに、無線通信アクセスポイントに接続されたサーバから上記接続情報を自動的に受け取ることで、無線ＬＡＮ端末と特定の無線通信アクセスポイントとの間で無線通信が確立できる。
【０１３８】
また、同一場所に設置された複数の無線通信アクセスポイントに、複数の無線通信端末を均等に接続することができるため、特定の無線通信アクセスポイントに無線ＬＡＮ端末が集中して割り振られることがなく、特定の無線通信アクセスポイントに通信が集中することを避けることができる。
【図面の簡単な説明】
【図１】本発明に係るネットワークシステム（会議システム）の第１の実施の形態の構成を示すブロック図である。
【図２】会議主催者が所持する端末と認証機能及びデータベース機能を有するサーバとの間で行われる会議室予約及び会議出席者登録についての通信処理を示すシーケンス図である。
【図３】図２のステップＳ２０７で送信され、端末の表示装置に表された会議室予約画面を例示する図である。
【図４】図２ステップＳ２０８により日付欄に使用予定日付が入力された会議室予約画面を例示する図である。
【図５】図２ステップＳ２０９でサーバから端末に送信された予約状況画面を例示する図である。
【図６】予約したい会議室名、会議を始める時刻、終える時刻、会議名が入力された予約状況画面を例示する図である。
【図７】図２のステップＳ２１１でサーバから端末に送信される会議室予約依頼応答によって端末の表示装置に表示される画面を例示する図である。
【図８】図２のステップＳ２１２で、サーバから端末に送信されるユーザデータベース情報を例示する図である。
【図９】会議に出席させたいユーザがチェック欄で選択されたユーザデータベース情報を例示する図である。
【図１０】会議時間帯、会議室名、会議名、暗号鍵、チャンネルが設定されたデータベース情報を例示する図である。
【図１１】サーバにデータベースとして登録されている会議室ごとのＡＰ情報を例示する図である。
【図１２】会議主催者がサーバに対して会議予約を行った後、サーバと、予約された会議室に設置されているＡＰとの間で行われる会議室予約情報の通知処理を示す通信シーケンス図である。
【図１３】図１に示すネットワークシステム（会議システム）における無線ＬＡＮ端末と、会議室１に配置されたＡＰ１と、会議室２に配置されたＡＰ２と、基幹ＬＡＮに接続されているサーバとの間で行われる接続処理を示すシーケンス図である。
【図１４】無線ＬＡＮ端末で行われるＡＰとの接続処理の手順を示すフローチャート（１／３）である。
【図１５】無線ＬＡＮ端末で行われるＡＰとの接続処理の手順を示すフローチャート（２／３）である。
【図１６】無線ＬＡＮ端末で行われるＡＰとの接続処理の手順を示すフローチャート（３／３）である。
【図１７】第２の実施の形態におけるアクセスポイント（ＡＰ）の構成を示すブロック図である。
【図１８】図１７のＰＣカード用コネクタに挿入されるＰＣカードの中にある不揮発性メモリ上に格納されている、会議主催者の個人情報の一例を示す図である。
【図１９】図１７に示す構成のＡＰで使用する暗号鍵や使用無線チャンネル等の会議情報をＡＰがサーバから受信するための通信処理におけるシーケンス図である。
【図２０】予約日時を２００２年４月１９日、使用したい会議室を、２台のＡＰが配置された会議室Ａ、会議の始まる時間を午前９時、終わりの時間を午前１２時、会議名を定例会として入力した予約状況画面を例示する図である。
【図２１】図２０に例示された予約状況画面のデータを受信したサーバが、会議主催者の端末に返信した会議室予約依頼応答の画面を例示する図である。
【図２２】図  １０に例示した第１の実施の形態におけるデータベース情報に相当する第３の実施の形態におけるデータベース情報を例示する図である。
【図２３】第３の実施の形態における会議システムの構成を示すブロック図である。
【図２４】第３の実施の形態におけるサーバにおいて実行される認証及び会議情報送信処理の手順を示すフローチャート（１／２）である。
【図２５】第３の実施の形態におけるサーバにおいて実行される認証及び会議情報送信処理の手順を示すフローチャート（２／２）である。
【符号の説明】
１、２  アクセスポイント（ＡＰ、無線通信アクセスポイント、第１の設定手段）
３  無線ＬＡＮ端末（無線通信機器、第２の設定手段）
４  サーバ（第１及び第２のデータベース）
５  基幹ＬＡＮ
１５１３  ＰＣカードコントローラ部
１５１４  ＰＣカード用コネクタ
２１０１〜２１０４  アクセスポイントＡＰ（１０）〜ＡＰ（１３）
２１０５  無線ＬＡＮ端末
２１０６  サーバ
２１０７  基幹ＬＡＮ
【図１】
2005033265.tif 000003
【図２】
2005033265.tif 000004
【図３】
2005033265.tif 000005
【図４】
2005033265.tif 000006
【図５】
2005033265.tif 000007
【図６】
2005033265.tif 000008
【図７】
2005033265.tif 000009
【図８】
2005033265.tif 000010
【図９】
2005033265.tif 000011
【図１０】
2005033265.tif 000012
【図１１】
2005033265.tif 000013
【図１２】
2005033265.tif 000014
【図１３】
2005033265.tif 000015
【図１４】
2005033265.tif 000016
【図１５】
2005033265.tif 000017
【図１６】
2005033265.tif 000018
【図１７】
2005033265.tif 000019
【図１８】
2005033265.tif 000020
【図１９】
2005033265.tif 000021
【図２０】
2005033265.tif 000022
【図２１】
2005033265.tif 000023
【図２２】
2005033265.tif 000024
【図２３】
2005033265.tif 000025
【図２４】
2005033265.tif 000026
【図２５】
2005033265.tif 000027